(57)【要約】【課題】ライブビュー表示における表示遅延時間を短縮する。【解決手段】ライン単位で電荷蓄積の開始および終了が制御される撮像センサーの出力に基づいて画像データを表示部のライン単位で生成する画像データ生成手段と、生成された前記画像データを前記表示部にライン単位で順に表示させる表示制御手段と、撮像対象ラインの電荷蓄積を開始させてから第一の時間経過後に電荷蓄積を終了させ、前記撮像対象ラインの電荷蓄積を終了させてから第二の時間経過後に前記撮像対象ラインに対応する表示対象ラインの前記画像データの表示を開始させる制御手段と、を備える。前記第二の時間は、前記撮像対象ラインの電荷蓄積を終了してから前記表示対象ラインに前記画像データの表示を開始するまでに要する時間である。制御手段では、前記第一の時間が、（前記撮像センサーの垂直同期期間−前記第二の時間）以下となるように前記撮像対象ラインの電荷蓄積を開始させる。【選択図】図１
2014093705.tif 000002
【特許請求の範囲】
【請求項１】
ライン単位で電荷蓄積の開始および終了が制御される撮像センサーの出力に基づいて画像データを表示部のライン単位で生成する画像データ生成手段と、
生成された前記画像データを前記表示部にライン単位で順に表示させる表示制御手段と、
撮像対象ラインの電荷蓄積を開始させてから第一の時間経過後に電荷蓄積を終了させ、前記撮像対象ラインの電荷蓄積を終了させてから第二の時間経過後に前記撮像対象ラインに対応する表示対象ラインの前記画像データの表示を開始させる制御手段であって、
前記第二の時間は、前記撮像対象ラインの電荷蓄積を終了してから前記表示対象ラインに前記画像データの表示を開始するまでに要する時間であり、
前記第一の時間が、（前記撮像センサーの垂直同期期間−前記第二の時間）以下となるように前記撮像対象ラインの電荷蓄積を開始させる、
制御手段と、
を備える撮影装置。
【請求項２】
前記制御手段は、前記第一の時間を（前記垂直同期期間−前記第二の時間）以下とすることにより適正露出と比較して露出アンダーとなる場合、前記撮像センサーのゲインを増加させて適正露出にする、
請求項１に記載の撮影装置。
【請求項３】
前記制御手段は、前記ゲインを上限値まで増加させた場合に適正露出となる最短の電荷蓄積時間以上の時間を前記第一の時間として選択する、
請求項２に記載の撮影装置。
【請求項４】
前記制御手段は、撮影装置における露出制御のための制御値の組み合わせを規定したプログラム線図であって、少なくとも前記制御値としての電荷蓄積時間と前記制御値としての前記ゲインとの組み合わせを規定したプログラム線図に基づいて、前記最短の電荷蓄積時間以上で、かつ、（前記垂直同期期間−前記第二の時間）以下であるという条件を満たす電荷蓄積時間を前記第一の時間として選択する、
請求項３に記載の撮影装置。
【請求項５】
前記制御手段は、同一撮影環境において記録用画像を撮影する場合に適正露出となる最短の電荷蓄積時間未満の時間を、ライブビュー表示のための撮影における電荷蓄積時間である前記第一の時間として選択する、
請求項１〜請求項４のいずれかに記載の撮影装置。
【請求項６】
前記制御手段は、８ｍｓ以下の時間を前記第一の時間として選択する、
請求項１〜請求項５のいずれかに記載の撮影装置。
【請求項７】
前記画像データに基づいて前記表示部に表示される画像の画質よりも表示遅延時間の短縮の方を優先させる第一のモードと、前記表示遅延時間の短縮よりも前記画像の画質の方を優先させる第二のモードと、をユーザーに選択させるライブビューモード選択手段を備え、
前記制御手段は、前記第一のモードが選択された場合に、前記第一の時間が（前記垂直同期期間−前記第二の時間）以下となるように前記撮像対象ラインの電荷蓄積を開始させる、
請求項１〜請求項６のいずれかに記載の撮影装置。
【請求項８】
ライン単位で電荷蓄積の開始および終了が制御される撮像センサーの出力に基づいて画像データを表示部のライン単位で生成する画像データ生成工程と、
生成された前記画像データを前記表示部にライン単位で順に表示させる表示制御工程と、
撮像対象ラインの電荷蓄積を開始させてから第一の時間経過後に電荷蓄積を終了させ、前記撮像対象ラインの電荷蓄積を終了させてから第二の時間経過後に前記撮像対象ラインに対応する表示対象ラインの前記画像データの表示を開始させる制御工程であって、
前記第二の時間は、前記撮像対象ラインの電荷蓄積を終了してから前記表示対象ラインに前記画像データの表示を開始するまでに要する時間であり、
前記第一の時間が、（前記撮像センサーの垂直同期期間−前記第二の時間）以下となるように前記撮像対象ラインの電荷蓄積を開始させる、
制御工程と、
を含む撮影装置の制御方法。
【発明の詳細な説明】
【技術分野】
【０００１】
本発明は、撮影装置およびその制御方法に関し、特にライブビューの表示遅延時間を短縮する技術に関する。
【背景技術】
【０００２】
従来、特許文献１，２に記載されているように、撮像センサーで撮影した画像をライブビューとして液晶ディスプレイ等の表示部に表示する撮影装置が知られている。
【先行技術文献】
【特許文献】
【０００３】
【特許文献１】特開２００７−２９５４０１号公報
【特許文献２】特開２０００−９２３８０号公報
【発明の概要】
【発明が解決しようとする課題】
【０００４】
ライブビューを表示する撮影装置において、被写体の像が被写体から遅延して表示されることが知られている。表示遅延時間は、被写体の像を示す光を撮像センサーが受光し電荷として蓄積することを開始してから当該被写体の像を示す画像データが表示部に表示されるまでに要する時間と定義することができる。このように定義した場合、表示遅延時間には、電荷蓄積時間と、撮像センサーの出力に基づいて表示用の画像データを生成し表示するまでに要する処理時間と、が含まれる。一般的には電荷蓄積時間は撮影環境に応じてＡＥ処理によって決定されるものであるため、処理時間の方を短期化することで表示遅延時間を短縮することが考えられてきた。一方で、さらなる表示遅延時間の短縮のために、電荷蓄積時間の方を短くすることが考えられる。
【０００５】
特許文献１の００９４〜００９７段落には、センサーのゲインと絞りが設定された後、撮影環境に応じてフレームレートが決定され、電荷蓄積時間はフレームレートに対応する時間（垂直同期期間）よりも短い時間であれば任意に設定してよいことが記載されている。また、特許文献２（図２）には、ライブビュー表示の場合は電荷蓄積時間を限界（コマ落ちしない程度の最長時間、０００３段落）まで長くしそれでも暗い場合にセンサーのゲインを上げることが記載されている。そして、記録用の画像を撮影する際には、ゲインを上げていた場合はゲインを戻した場合の電荷蓄積時間を決定し（ゲインを上げていたときより長い）、ゲインを戻して当該電荷蓄積時間で撮影を行うことが記載されている。このように、ライブビュー表示において垂直同期期間より電荷蓄積時間が結果的に短くなる場合があることは従来から知られているが、電荷蓄積時間は表示遅延時間を意図的に短期化することを目的に決定されるものではなかった。そのため、ＡＥ処理によって適正露出となる電荷蓄積時間が例えば垂直同期期間と同じ長さとなる場合、表示遅延時間は（垂直同期期間＋処理時間）より短くならなかった。
本発明は、上記課題に鑑みてなされたもので、ライブビュー表示における表示遅延時間を短縮することを目的とする。
【課題を解決するための手段】
【０００６】
上記目的を達成するための撮影装置は、画像データ生成手段と、表示制御手段と、制御手段と、を備える。画像データ生成手段は、ライン単位で電荷蓄積の開始および終了が制御される撮像センサーの出力に基づいて画像データを表示部のライン単位（１または複数のライン単位）で生成する。表示制御手段は、生成された画像データを表示部にライン単位（１または複数のライン単位）で順に表示させる。制御手段は、撮像対象ラインの電荷蓄積を開始させてから第一の時間経過後に電荷蓄積を終了させ、撮像対象ラインの電荷蓄積を終了させてから第二の時間経過後に撮像対象ラインに対応する表示対象ラインの画像データの表示を開始させる。この場合に、第二の時間は、撮像対象ラインの電荷蓄積を終了してから表示対象ラインに画像データの表示を開始するまでに要する時間を指す。第二の時間には、撮像センサーから出力データを読み出す時間、画像データ生成手段による画像データ生成処理時間、生成された画像データを表示部に転送し表示が開始されるまでの時間を含む。制御手段は、第一の時間が、（撮像センサーの垂直同期期間−第二の時間）以下となるように撮像対象ラインの電荷蓄積を開始させる。
【０００７】
本発明の撮影装置では、第一の時間すなわち電荷蓄積時間が（垂直同期期間−第二の時間）以下となるように意図的に制御されるため、撮像対象ラインの電荷蓄積を開始してから当該撮像対象ラインに対応する表示対象ラインの表示開始までの時間（表示遅延時間＝第一の時間＋第二の時間）を短縮することができる。ＡＥ処理によって適正露出となる電荷蓄積時間が例えば垂直同期期間と同じ長さとなる場合、従来の設計思想では、表示遅延時間（第一の時間＋第二の時間）は（垂直同期期間＋第二の時間）と同じとなり、これより短くはならなかったが、本発明によるとこの場合にも表示遅延時間（第一の時間＋第二の時間）を（垂直同期期間＋第二の時間）より短くすることが可能である。なぜなら、第一の時間が（垂直同期期間−第二の時間）以下となるように制御されるためである。
なお、「撮像対象ラインに対応する表示対象ライン」の「撮像対象ライン」とは、ある表示対象ラインの画像データを生成するための出力データを出力する撮像センサーのラインを意味する。表示対象ラインに対応する撮像対象ラインは１ラインであってもよいし複数ラインであってもよい。
【０００８】
さらに、上記目的を達成するための撮影装置において、制御手段は、第一の時間を（垂直同期期間−第二の時間）以下とすることにより適正露出と比較して露出アンダーとなる場合、撮像センサーのゲインを増加させて適正露出にしてもよい。
この結果、第一の時間（電荷蓄積時間）を意図的に短く制御する場合も適正露出のライブビューを表示することができる。
【０００９】
さらに、上記目的を達成するための撮影装置において、制御手段は、ゲインを上限値まで増加させた場合に適正露出となる最短の電荷蓄積時間以上の時間を第一の時間として選択してもよい。
上述したように、第一の時間を（垂直同期期間−第二の時間）以下とすることにより適正露出と比較して露出アンダーとなる場合、撮像センサーのゲインを増加させることによって適正露出になるように調整することができる。ライブビュー表示のための撮影においては、ゲインを上限値まで増加させた場合に適正露出となる最短の電荷蓄積時間以上でかつ（垂直同期期間−第二の時間）以下である時間を第一の時間（電荷蓄積時間）として選択可能である。
【００１０】
さらに、上記目的を達成するための撮影装置において、制御手段は、露出制御のための撮影装置における制御値の組み合わせを規定したプログラム線図であって、少なくとも制御値としての電荷蓄積時間と制御値としてのゲインとの組み合わせを規定したプログラム線図に基づいて、上述の条件を満たす電荷蓄積時間を第一の時間として選択してもよい。上述の条件とはすなわち、ゲインを上限値まで増加させた場合に適正露出となる最短の電荷蓄積時間以上で、かつ、（前記垂直同期期間−前記第二の時間）以下であるという条件を指す。
すなわち、制御手段は任意の電荷蓄積時間の時間調整を行う仕組みを備える必要はなく、露出制御のための制御値の組み合わせを予め定めたプログラム線図を用いて上述の条件を満たす電荷蓄積時間を選択することで、表示遅延時間の短縮と露出制御を実現することができる。
【００１１】
さらに、上記目的を達成するための撮影装置において、制御手段は、同一撮影環境において記録用画像を撮影する場合に適正露出となる最短の電荷蓄積時間未満の時間を、ライブビュー表示のための撮影における電荷蓄積時間である第一の時間として選択する。
すなわち、同一撮影環境（被写体の明るさが同じ環境）において記録用画像を撮影する場合には選択されないような短い電荷蓄積時間でライブビュー表示のための撮影を行うことで、本発明の撮影装置はライブビュー表示における表示遅延時間の短期化を図っている。
【００１２】
さらに、上記目的を達成するための撮影装置において、８ｍｓ以下の時間を第一の時間として選択してもよい。
垂直同期周期が６０ｆｐｓ〜１２０ｆｐｓの場合、８ｍｓ以下の時間を第一の時間として選択することで良好の結果を得ることができる。
【００１３】
さらに、上記目的を達成するための撮影装置は、画像データに基づいて表示部に表示される画像の画質よりも表示遅延時間の短縮の方を優先させる第一のモードと、表示遅延時間の短縮よりも画像の画質の方を優先させる第二のモードと、をユーザーに選択させるライブビューモード選択手段を備えてもよい。その場合に制御手段は、第一のモードが選択された場合に、第一の時間が（垂直同期期間−第二の時間）以下となるように撮像対象ラインの電荷蓄積を開始させる。
表示部に表示される画像の画質よりも表示遅延時間の短縮の方を優先させる第一のモードと、表示遅延時間の短縮よりも画像の画質の方を優先させる第二のモードと、をユーザーが選択可能であることにより、ライブビュー表示に関するユーザーのニーズに応えることができる。すなわち、第一のモードが選択された場合は、上述したように電荷蓄積時間およびゲインが選択される。適正露出とするためにゲインを上げる場合はノイズ成分が増加し画質が低下するが、表示遅延時間の短縮を実現することができるため、第一のモードを選択したユーザーのニーズに応えることができる。第二のモードが選択された場合は、電荷蓄積時間は上述した設計思想に基づいて選択されるわけではないので第一のモード選択時より表示遅延時間を短縮する効果は期待できない。しかし電荷蓄積時間は第一のモード選択時よりも短くならないということは同一撮影環境であればゲインは第一のモード選択時よりも小さい値となるため、ノイズ成分は第一のモード選択時より少なく画質は第一のモード選択時より向上する。そのため第二のモードを選択したユーザーのニーズに応えることができる。
なお、例えばシャッターボタンが押されていない状態でのライブビュー撮影においては画質優先の第二のモードで電荷蓄積時間が選択され、シャッターボタンが半押しの状態でのライブビュー撮影においては表示遅延時間短縮優先の第一のモードで電荷蓄積時間が選択されてもよい。
【００１４】
さらに、本発明のように、ライブビュー表示のための撮影において第一の時間≦（垂直同期期間−第二の時間）とする手法は、プログラムや方法の発明としても成立する。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１５】
【図１】撮影装置の構成を示すブロック図。
【図２】撮影処理を示すフローチャート。
【図３】（３Ａ）は表示画面を示す模式図、（３Ｂ）は電荷蓄積タイミングと表示タイミングを説明するためのタイミングチャート。
【図４】第一実施形態にかかるプログラム線図。
【図５】ライブビュー時の撮影および表示を示すタイミングチャート。
【図６】（６Ａ）および（６Ｂ）は他の実施形態にかかるプログラム線図。
【図７】他の実施形態にかかるプログラム線図。
【図８】（８Ａ）および（８Ｂ）は他の実施形態にかかるタイミングチャート。
【発明を実施するための形態】
【００１６】
以下、本発明の実施の形態を添付図面を参照しながら説明する。尚、各図において対応する構成要素には同一の符号が付され、重複する説明は省略される。
１．第一実施形態
１−１．撮影装置の構成
図１は本発明の一実施形態にかかる撮影装置１の構成を示すブロック図である。撮影装置１は、ＥＶＦ（Electronic View Finder）を備えたミラーレスデジタルカメラである。本実施形態の撮影装置１は、レンズユニット１０、シャッター１３、シャッター制御部５０、撮像センサー１４、バッファー１５、画像処理部８０、タイミング制御部６０、表示部２０、記録部３０、操作部４０、ＣＰＵ７０、ＲＡＭ７１、ＲＯＭ７２等を備えている。ＣＰＵ７０は、ＲＡＭ７１を適宜利用してＲＯＭ７２に記録されたプログラムを実行する。当該プログラムの機能によりＣＰＵ７０は、操作部４０に対する操作に応じて撮像センサー１４にて撮影された被写体を示す画像データを生成し、表示部２０に表示したりリムーバブルメモリーに記録する機能を実行する。また、ＲＯＭにはライブビュー撮影や本撮影に用いる複数種類のプログラム線図が記録されている。なお操作部４０は、シャッターボタンと、電荷蓄積時間（シャッター速度）や絞り１２の開口径を切り換えるためのダイヤルスイッチと、撮影モードを切り換えるためのダイヤルスイッチと、ＩＳＯ感度を切り換えるためのスイッチと各種の設定メニューを操作するためのスイッチとを備えている。
【００１７】
レンズユニット１０は、レンズ１１、絞り１２、レンズ駆動部１１ａ、絞り駆動部１２ａ等を備える。レンズユニット１０は、撮影装置１の図示しない筐体に交換可能に取り付けられる。レンズ１１は図１では簡略化して１枚のレンズで表しているが、光軸方向に並べられた複数枚のレンズを含み、各レンズは外縁部で支持される。レンズ駆動部１１ａは、ＣＰＵ７０から出力された制御信号に応じて、光軸方向に少なくとも１枚のレンズを移動させることにより、フォーカスやズーム倍率を調整する。絞り１２は、開口径を変化させることのできる複数の遮光板で構成されている。絞り駆動部１２ａは、ＣＰＵ７０から出力された制御信号に応じて、絞り１２を駆動して絞り１２の開口径を変化させる。
【００１８】
シャッター１３は機械式のフォーカルプレーン型シャッターであり、撮像センサー１４の撮影センサー面に対して平行な平面板状の遮光部としての開閉式（折り畳み式）の複数の遮光幕を備えている。遮光幕はシャッター制御部５０からの制御信号に応じて光軸に対して垂直な方向に移動するように構成されており、通常は遮光幕が光軸に平行な方向の光路を遮らない状態で保持されている。また、遮光幕が光路を遮らない状態で保持されている状態において、所定のトリガが与えられると当該遮光幕が光路を遮らない状態で保持された状態が解除され、遮光幕は光軸に対して垂直な方向に駆動して複数の羽根が光路を遮る状態となる。また、図１においては、遮光幕の移動方向を破線の矢印Ａmで示している。
【００１９】
撮像センサー１４は、例えばベイヤー配列されたカラーフィルターと、光量に応じた電荷を光電変換によって画素ごとに蓄積する複数の光電変換素子（フォトダイオード）とを備えるＣＭＯＳ（Complementary Metal Oxide Semiconductor）イメージセンサーである。むろん、撮影センサーはＣＣＤ（Charge Coupled Device）イメージセンサー等の他のセンサーであってもよい。撮像センサー１４の画素の位置は直交座標系における座標で規定され、一方の座標軸に平行な方向に並ぶ複数の画素によってラインが構成され、複数のラインが他方の座標軸に平行な方向に並ぶように構成されている。本明細書では、ラインに平行な方向を水平方向、ラインに垂直な方向を垂直方向と呼ぶ。また本実施形態において撮像センサー１４の全画素によって構成される１画面を１フレームと呼ぶ。撮像センサー１４は垂直方向がシャッター１３の移動方向（Ａm）と平行になるように備えられている。
【００２０】
本実施形態における撮像センサー１４においては、ライン単位で光電変換素子に蓄積された電荷のリセット（放電）が可能である。すなわち、同一のラインに属する複数の光電変換素子においては互いに同時に電荷がリセットされ、リセット解除に伴い互いに同時に電荷蓄積が開始する。撮像センサー１４は、光電変換素子に蓄積された電荷をライン単位で読み出す。なお、撮像センサー１４は、必要な画質や速度に応じて、全ラインから読み出すことをせずに、ＮラインごとにＭラインずつ読み出す（ＮおよびＭはＮ＞Ｍを満たす自然数）間引き読み出しを行うことができる。光電変換素子では、電荷の読み出しが行われた場合にも電荷がリセットされた状態となる。
【００２１】
撮像センサー１４は、ＣＰＵ７０からの制御信号に応じて画素の電荷蓄積量の読出し値に対するゲイン（ＩＳＯ感度に対応）を調整することができる。すなわち、光電変換素子にて蓄積された電荷を示す信号の増幅の程度を段階的に変化させることができる。撮像センサー１４は、読み出した電荷に対応する露光量の階調値をＡ／Ｄ変換器等によりＡ／Ｄ変換して各画素に対応付けた１４ｂｉｔ（少なくとも１０ｂｉｔ）の出力データを生成する。撮像センサー１４から読み出された出力データは、バッファー１５に蓄積され、後述の画像処理部８０によって出力データに対する各種画像処理が実行される。
【００２２】
タイミング制御部６０はセンサー制御部６１と表示制御部６２とを備える。センサー制御部６１は、各光電変換素子の各種動作タイミングを制御するための信号を生成し、撮像センサー１４に出力する。具体的にはセンサー制御部６１は、例えば１フレーム分の光電変換素子の検出結果を読み出すための期間（垂直同期期間）を規定する垂直同期信号（SVsync）、１ライン分の光電変換素子の検出結果を読み出すための期間（水平同期期間）を規定する水平同期信号（SHsync）、各画素の画像データの読み出しタイミング等を規定するデータクロック信号（SDotclock）、対応する１ライン分の光電変換素子の電荷を破棄するタイミングを規定するリセット信号（SHreset）を出力する。撮像センサー１４は、垂直同期信号SVsyncに応じて１フレーム分の出力データの出力を開始し、水平同期信号SHsyncにて規定される期間内にデータクロック信号SDotclockに応じたタイミングで撮像センサー１４の画素に対応する光電変換素子の検出結果を示す出力データ（SD）を逐次読み出す。また撮像センサー１４はリセット信号SHresetに応じたタイミングで指定されたラインの光電変換素子の電荷を破棄する。ＣＰＵ７０とセンサー制御部６１は「制御手段」に相当する。
【００２３】
また、表示制御部６２は、表示部２０の各表示画素の表示タイミングを制御するための信号を生成し、表示部２０に出力する。表示部２０はＥＶＦであり、撮像センサー１４の出力データに基づいて生成された画像データをライブビュー（動画）として表示し、また、本撮影した被写体の静止画像を表示する。表示部２０は、図示しないインターフェース回路と液晶パネルドライバーと液晶パネルと接眼レンズ等を備えている。液晶パネルドライバーは、各サブピクセルに電圧を印加して液晶を駆動するための信号を液晶パネルに対して出力する。液晶パネルドライバーは、液晶パネルにおける表示を行うための各種信号、例えば、１フレーム分の表示を行うための期間を規定する垂直同期信号（DVsync）、１ライン分の表示を行うための期間を規定する水平同期信号（DHsync）、各ライン内での画像データの取り込み期間を規定するデータアクティブ信号（DDactive）、各画素の画像データの取り込みタイミング等を規定するドットクロック信号（DDotclock）、各画素の画像データ（DD）を出力するように構成されている。これらの垂直同期信号DVsync、水平同期信号DHsync、データアクティブ信号DDactive、データクロック信号DDotclockは表示制御部６２によって生成され、表示部２０に出力される。
【００２４】
なお、本実施形態において水平同期信号DHsyncの出力タイミングは可変であり、後述するように画像データ生成部８１から次の表示対象ラインを表示する準備が整ったことを示す進捗情報を表示制御部６２が取得した後、表示制御部６２によって水平同期信号DHsyncが出力され、当該次の表示対象ラインの表示が開始される。なお進捗情報としては次の表示対象ラインをＮライン目のラインとすると（Ｎは自然数）、Ｎライン目の画像データを表示する準備が整ったことを表示制御部６２が判断することができる情報であればよく、具体的には様々な態様が考えられる。例えば進捗情報は、画像データ生成部８１のリサイズ処理部の処理が終了しＮライン目の画像データが生成されたタイミングで画像データ生成部８１から表示制御部６２に出力されるパルス信号であってもよい。また例えば、Ｎライン目の画像データの生成が完了し当該Ｎライン目の画像データのバッファー１５への書き込みが完了したタイミングで出力されるパルス信号であってもよい。また例えば、Ｎライン目の画像データだけでなくＮライン目から（Ｎ＋ｉ）ライン目（ｉは自然数）の画像データの生成も完了しＮ〜（Ｎ＋ｉ）ライン目までの画像データのバッファー１５への書き込みが完了したタイミングで出力されるパルス信号であってもよい。また例えば、進捗情報は、上述のようなタイミングでパルス信号として出力されるものでなくてもよく、例えば画像データが所定のバッファーに転送されたことを示すその他の態様の情報（例えば、転送済みのライン数をカウントするカウンターの値等）であってもよい。また例えば、次に述べるようなカウンターの値とパルス信号との組み合わせが進捗情報として扱われてもよい。この場合のカウンターは例えば、画像データ生成部８１のリサイズ処理部の処理が終了しＮライン目の画像データが生成されたタイミングでカウントアップしてＮの値を示すカウンターである。そしてこの場合のパルス信号は例えば、上述のタイミングでカウンターがカウントアップした際にカウンター値が変化したことを示すために表示制御部６２に出力されるパルス信号である。そして、画像データの生成が完了したラインを示す（何ライン目まで生成が完了したかを示す）カウンターの値と、カウンターが更新されたタイミングを示すパルス信号を表示制御部６２が取得することで、表示制御部６２側のタイミングが生成されてもよい。
本実施形態では、Ｎライン目の画像データの生成が完了し当該Ｎライン目の画像データのバッファー１５への書き込みが完了したタイミングで出力されるパルス信号を進捗情報として扱う。
【００２５】
画像処理部８０は画像データ生成部８１を備える。画像データ生成部８１は、バッファー１５に予め確保されたラインバッファーやフレームバッファーを利用し、撮像センサー１４から出力された出力データSDに対してパイプライン処理によって各種画像処理を実行する。画像処理部８０は例えばＡＳＩＣやＤＳＰ等で構成されたＳＯＣである。画像データ生成部８１は、画素補間部と色再現処理部とフィルター処理部とガンマ補正部とリサイズ処理部と画像データ出力部とを備えており、撮像センサー１４の出力データSDに基づいてライン単位で画像データDDを生成することができる。
【００２６】
具体的には画像データ生成部８１は、撮像センサー１４から出力された出力データSDをバッファー１５のラインバッファーから取得する。画素補間部は、注目画素について当該注目画素の周辺画素の階調値を用いた補間処理を行うことにより、各画素に対応する光電変換素子に備えられたカラーフィルターの色とは異なる２チャネルの色の階調値を算出する。この結果、各画素について３チャネルの階調値が対応付けられたデータが生成される。色再現処理部は、画素補間が完了したデータの各画素の階調値に対して３×３の行列演算を行うことによってより正しい色を再現するための色変換処理を行う。フィルター処理部は、色再現処理が完了したデータに対してシャープネス調整やノイズ除去処理などのフィルター処理を実行する。ガンマ補正部は、画像出力する際の階調特性を補正する処理を行う。すなわち撮像センサー１４の出力データの階調値が示す色を、表示部２０における色特性に応じたガンマ関数によって補正するガンマ補正を、フィルター処理が完了したデータに対して実行する。リサイズ処理部はバッファー１５のラインバッファーに記録されていくガンマ補正処理後のデータを逐次参照して、リムーバブルメモリーへの画像データの記録サイズや表示部２０の画面サイズに応じて目標サイズへとリサイズする。リサイズ処理部にてリサイズが完了すると、画像処理部８０における各画像処理が完了された画像データDDが生成できる。
【００２７】
この画像データDDはバッファー１５に一時的に記憶される。ライブビュー表示の場合には、１ライン分の画像データDDがバッファー１５に出力完了したタイミングで画像データ生成部８１が上述の進捗情報を表示制御部６２に通知する（上述したように進捗情報としては様々な態様が想定されうるが本実施形態では進捗情報を次の表示対象ライン１ライン分の画像データがバッファー１５に出力完了したタイミングを示すパルス信号であるとしている）。表示制御部６２は進捗情報に基づいて次の表示対象ラインの表示準備が整ったことを判断すると水平同期信号DHsyncを表示部２０に対して出力する。また、バッファー１５に一時記憶されている画像データDDは画像データ出力部によって表示部２０に線順次に受け渡され水平同期信号DHsyncが規定するタイミングで表示部２０に表示される。この結果、撮像センサー１４で撮影された被写体の像が表示部２０の液晶パネルに表示される。また、画像データ出力部は、表示部２０の表示を行う際に、バッファー１５のフレームメモリーに記録されたＯＳＤデータを画像データDDとして表示部２０に対して線順次に出力する。この結果、撮影条件等の文字が表示部２０の液晶パネルに表示される。また本撮影の場合には、生成されバッファー１５に一時記憶されている画像データDDは画像データ出力部によって記録部３０に受け渡され記録部３０に装着されたリムーバルメモリーに記録される。
【００２８】
また画像処理部８０が実行する処理には、ＡＥ（Automatic Exposure）処理を行うための評価値を出力する処理とＡＦ（Automatic Focus）処理を行うための評価値を出力する処理とが含まれる。すなわち画像処理部８０は、撮像センサー１４による撮影範囲内に設定された所定の測光エリアに含まれる画素の明るさを評価するための評価値（例えば、輝度の平均値等）を特定し、ＡＥ処理を行うための評価値として出力することが可能である。また、画像処理部８０は、撮像センサー１４による撮影範囲内に設定された所定の測距エリアに含まれる画素の合焦度合いを評価するための評価値（例えば、コントラストの大きさを示す値等）を特定し、ＡＦ処理を行うための評価値として出力することが可能である。また、画像処理部８０は他にも、ＡＷＢ（自動ホワイトバランス機能）等のデジタルカメラが必要とする一般的な画像処理機能を実現する処理部を備えている。
【００２９】
本実施形態にかかる撮影装置１によって記録用の画像を撮影する際（本撮影）には、機械シャッターであるシャッター１３と撮像センサー１４の電子シャッターとの組み合わせによって電荷蓄積時間を制御する。すなわち、本実施形態において本撮影の場合には、撮像センサー１４における電子シャッターで露光を開始させ、シャッター１３の遮光幕で露光を終了させる電子先幕−機械後幕シャッター方式によって露光時間が制御される。具体的には、本撮影の場合、電子シャッターによりライン順次で露光が開始され、ライン毎の露光時間が、設定されたシャッター速度（秒時）となるタイミングで各ラインが遮光されるように機械シャッターによる遮光が開始される。また、ライブビュー表示を行うための画像を撮影する際には、電子シャッター方式によって露光時間（すなわち電荷蓄積時間）が制御される。すなわち、先幕も後幕も電子シャッターによって制御される。
【００３０】
記録部３０は、図示しないリムーバブルメモリーを挿入することが可能であり、記録部３０にリムーバブルメモリーが挿入された状態で、リムーバブルメモリーに対して情報を記録し、また、リムーバブルメモリーから情報を読み出すことができる。本撮影で生成された画像データはリムーバブルメモリーに記録される。
【００３１】
１−２．撮影処理
次に、本実施形態における撮影処理を詳細に説明する。図２は撮影装置１の電源がオンされて、初期化処理終了後、撮影モードがユーザーに選択されたことで開始する撮影処理のフローチャートである。撮影装置１では、表示部２０において被写体のライブビュー表示を行い、利用者が当該ライブビュー表示を視認しながらシャッターチャンスを待ち、記録用画像の撮影指示等を行う。このため、ＣＰＵ７０は、撮影処理においてステップＳ１００〜Ｓ１０５にてライブビュー表示を行うための準備処理を行う。
【００３２】
具体的には、ＣＰＵ７０は、まずャッター１３を開放する（ステップＳ１００）。すなわち、ＣＰＵ７０は、シャッター制御部５０に制御信号を出力し、シャッター１３が光路を遮らない状態で保持された状態とする。また、ＣＰＵ７０は、絞り１２が所定の開口径となるように調整する（ステップＳ１０５）。本実施形態においては、絞り優先でライブビュー表示のための撮影や本撮影が行われるものとして説明を行う。すなわち、ＣＰＵ７０は、絞り駆動部１２ａに制御信号を出力し、例えばユーザーが操作部４０を操作して指定した絞り値に対応する開口径となるように制御してもよい。撮影モードごとに予め決められているデフォルトの絞り値に対応する開口径となるように制御されてもよい。なお、シャッター１３を開放する前に絞り１２の制御を行ってもよい。
【００３３】
次に、ＣＰＵ７０は、撮影および表示を開始する（ステップＳ１１０）。図３Ａは、本実施形態における表示部２０の液晶パネルの画面を示す模式図である。表示画面は、被写体像表示領域Ｒ１と情報表示領域Ｒ２とで構成される。被写体像表示領域Ｒ１は撮像センサー１４から出力された出力データに基づいて生成される画像データを表示する領域である。情報表示領域Ｒ２は、撮影条件等の情報を文字や図形で表示する領域である。図３Ａにおいてｏは被写体像表示領域Ｒ１の高さ（ライン数）を表しており、ｐは情報表示領域Ｒ２の高さ（ライン数）を表している。
【００３４】
図３Ｂは、撮像センサー１４におけるある撮像対象ラインの電荷蓄積タイミングや当該撮像対象ラインに対応する表示対象ラインの表示のタイミングを簡略化して示したタイミングチャートである。撮像センサー１４から出力された画像は、リサイズ処理部にて被写体像表示領域Ｒ１に応じたサイズにリサイズされるため、撮像対象ラインと表示対象ラインとは必ずしも１：１に対応しないが（例えば複数の撮像対象ラインに対応する出力データから１ライン分の表示対象ラインの画像データが生成されうる）、本実施形態では説明を簡便にするため撮像対象ラインと表示対象ラインとは１：１に対応する（図３Ａに示す被写体像表示領域Ｒ１（ライン数ｏ）の１ライン分の画像データを生成するための出力データを出力する撮像対象ラインは１ラインである）ものとして説明を行う。
【００３５】
図３Ｂにおいて第一の時間Ｔ１はある撮像対象ラインにおける電荷蓄積時間を示している。第二の時間Ｔ２は、撮像対象ラインの出力データSDに基づいて画像データ生成部８１が画像データDDを生成し、生成された画像データDDを表示対象ラインに表示開始するまでの時間を示している。すなわち第二の時間Ｔ２には、撮像センサー１４から出力データを読み出す時間（Ａ）と、出力データに基づいて画像データを生成する時間（Ｂ）と、生成した画像データを表示部２０に転送し表示開始するまでの時間（Ｃ）と、が含まれる。画像データDDを生成しバッファー１５への出力が完了すると画像データ生成部８１は進捗情報を表示制御部６２に出力し、表示制御部６２は進捗情報に応じて表示対象ラインの画像データDDの表示を開始する。第三の時間Ｔ３は、現フレームにおいて当該表示対象ラインの表示を開始してから次フレームにおいて当該表示対象ラインの表示が更新されるまでの時間を指し、表示部２０のフレームレートで示される１フレームあたりの垂直同期期間に相当する。言い換えると期間Ｔ３の長さは、当該表示対象ラインの画像データを表示させる期間（水平同期期間）の始まりを規定する水平同期信号DHsyncを出力してから次のフレームにおいて当該表示対象ラインの画像データを表示させる期間（水平同期期間）の始まりを規定する水平同期信号DHsyncを出力するまでの期間の長さと等しい。
【００３６】
本実施形態では、第一の時間Ｔ１と第二の時間Ｔ２を合わせた時間を表示遅延時間と呼ぶ。時間（Ｂ）はラインごとに変動しうるため第二の時間も変動しうるが、設計段階において時間（Ｂ）の最大値は把握可能であるため第二の時間の最大値も把握可能である。本実施形態では第二の時間の最大値を第二の時間Ｔ２として扱う。そして本実施形態では、第一の時間Ｔ１≦（垂直同期期間−第二の時間Ｔ２）となるように各撮像対象ラインにおける電荷蓄積時間が制御される。タイミング制御部６０は、表示部２０のフレームレートが撮像センサー１４のフレームレートと等しくなるように制御する。上述したように時間（Ｂ）はラインごとに変動しうるため被写体像表示領域Ｒ１の水平同期期間の長さは変動しうるが、情報表示領域Ｒ２の各ラインの水平同期期間の長さを調整して（例えば、被写体像表示領域Ｒ１の水平同期期間が遅れ気味なのであれば被写体像表示領域Ｒ１の各ラインの水平同期間よりも情報表示領域Ｒ２の水平同期期間を短くして）表示することにより、表示部２０のフレームレートは撮像センサー１４のフレームレートと同期させることができる（表示部２０の垂直同期期間の長さを撮像センサー１４の垂直同期期間の長さと等しくすることができる）。なお、情報表示領域Ｒ２に表示されるＯＳＤデータは、撮像センサー１４の動作によらず予め作成しバッファー１５に記録しておくことが可能であるため、ＯＳＤデータに基づく表示を短い水平同期期間によって実行したとしても、データ読み出しの追い越しを発生させることなく適正な表示を行うことが可能である。
【００３７】
本実施形態では、ライブビューにおける撮像センサー１４のフレーレートは１００ｆｐｓで駆動されるものとしている。また表示部２０が撮像センサー１４に同期するように制御されることで結果的に表示部２０のフレームレートも１００ｆｐｓで駆動するものとして以降の説明を行う。フレームレートが１００ｆｐｓである場合、垂直同期期間は１０ｍｓである。センサー制御部６１は垂直同期信号SVsyncを１０ｍｓごとに生成する。したがって第二の時間Ｔ２の最大値が例えば３ｍｓである場合、第一の時間Ｔ１は７ｍｓ以下になるように制御される。
【００３８】
撮影と表示に並行してＣＰＵ７０は、ライブビュー用ＡＥ処理を行う（ステップＳ１１５）。すなわち、ステップＳ１１０において生成される画像データに基づいて画像処理部８０がライブビュー用ＡＥ処理を行うための評価値を出力すると、ＣＰＵ７０は、センサー制御部６１に対して制御信号を出力して当該評価値が予め決められた適正範囲に含まれる状態となるように電荷蓄積時間（Ｔ１）を調整することにより、露出が適正露出となるように電荷蓄積時間をフィードバック制御する。
【００３９】
図４は、絞り（Ａｖ）がＦ４．０固定である場合の電荷蓄積時間（Ｔｖ）とＩＳＯ感度（Ｓｖ）との組み合わせを示す自動露出（ＡＥ）制御のプログラム線図の一例を示している（図４に示すように撮影装置１は、電荷蓄積時間（Ｔｖ）として１〜１／８０００の範囲で選択可能であり、ＩＳＯ感度（Ｓｖ）は１００〜６４００の範囲で選択可能である。したがってこれら全ての組み合わせを選択可能である場合、本撮影装置１では露出量として１７ＥＶ〜−２ＥＶの制御が可能であることを示している。）。
本実施形態ではステップＳ１０５において絞り１２の開口径がＦ４．０に対応する大きさとなるように制御されたものとして説明を行う。電荷蓄積時間すなわち第一の時間Ｔ１が上述のように７ｍｓ以下と決定された場合、図４の破線４ａで囲まれた領域内の６×７＝４２個の交点に対応する（Ｓｖ，Ｔｖ）の組み合わせを選択可能であり、選択可能な電荷蓄積時間の範囲は１／８０００〜１／２５０となる。また選択可能なＩＳＯ感度の範囲は１００〜６４００である。ＩＳＯ感度を１００〜６４００の間で変化させ、電荷蓄積時間を１／８０００ｓ（約０．１２５ｍｓ）〜１／２５０ｓ（約４ｍｓ）の間で変化させることで、ＥＶ１７〜ＥＶ６の範囲でＡＥ処理が可能である。
ただし、同じＥＶ値となる複数の組み合わせの中では、ＩＳＯ感度の値が大きい組み合わせほど画質が低下するため、本実施形態では破線４ａ内で同じＥＶ値となる複数の組み合わせのうちＩＳＯ感度の値がなるべく小さくなる組み合わせが選択されるようなプログラム線図（図４の太線）を採用する。図４に示す太線は、太線上の黒丸で示される点が、ＥＶ１７〜ＥＶ６とすることができる組み合わせのうちＩＳＯ感度がなるべく小さくなる組み合わせとなるように設定されている。
【００４０】
なお、図４において電荷蓄積時間（Ｔｖ）は１、１／２、１／４、１／８、１／１５、１／３０…１／８０００と表記されているが、厳密には１／２ｎ（０≦ｎ≦１３）で示される秒数が電荷蓄積時間として用いられる。例えば１／２５０との表記は厳密には１／２５６ｓ（≒３．９ｍｓ）を意味し、１／５００との表記は厳密には１／５１２ｓ（≒１．９５ｍｓ）を意味する。
【００４１】
ここで例えば、（Ｓｖ，Ｔｖ）の組み合わせが（８００，１／２５０）の場合に画像処理部８０から出力された評価値としての輝度値が適正露出とするための目標輝度値に対して１ＥＶ露出アンダーであること示している場合、ＣＰＵ７０は（Ｓｖ，Ｔｖ）の組み合わせが（１６００，１／２５０）となるように制御する。すなわち、（８００，１／２５０）の状態からＩＳＯ感度（ゲイン）を上げる。こうすることによって電荷蓄積時間を１／２５０ｓ以下に保った状態で適正露出の状態で撮影を行うことができる。
【００４２】
なお、破線４ａに含まれる４２個の組み合わせから選択される場合、ＥＶ８が適正露出と判明した場合は、撮影装置１におけるＩＳＯ感度の上限値である６４００と電荷蓄積時間１／１０００ｓとの組み合わせが選択可能である。その場合、電荷蓄積時間は１／１０００ｓ〜１／２５０ｓの間で選択可能である。すなわちこの場合、「ゲインを上限値まで増加させた場合に適正露出となる最短の電荷蓄積時間」は１／１０００となる。図２のフローチャートの説明に戻る。
【００４３】
次に、ＣＰＵ７０は、シャッターボタンが半押しされたか否かを判定し（ステップＳ１２０）、半押しされたと判定されるまでステップＳ１１０〜Ｓ１１５の処理を繰り返す。一方、ステップＳ１２０において、シャッターボタンが半押しされたと判定された場合、ＣＰＵ７０は、ステップＳ１２５〜Ｓ１３５において本撮影の準備を行う。ここで、ステップＳ１２５〜Ｓ１３０はステップＳ１１０〜Ｓ１１５と同じ処理であるため説明を省略する。
【００４４】
ステップＳ１３５のＡＦ処理では、ステップＳ１２５において生成される画像データに基づいて画像処理部８０がＡＦ処理を行うための評価値を出力すると、ＣＰＵ７０は、当該評価値を取得する。そして、ＣＰＵ７０は、当該評価値に基づいてレンズ駆動部１１ａに制御信号を出力し、当該評価値が所定の合焦範囲に含まれるようにレンズ１１を移動させてフォーカス調整を行う。
【００４５】
次に、ＣＰＵ７０は、シャッターボタンの半押しが解除されたか否かを判定し（ステップＳ１４０）、半押しが解除されたと判定された場合には、再度ステップＳ１１０以降を実行してライブビュー表示を継続する。一方、ステップＳ１４０において、シャッターボタンの半押しが解除されたと判定されない場合、さらに、ＣＰＵ７０は、シャッターボタンが全押しされたか否かを判定し（ステップＳ１４５）、全押しされたと判定されない場合、ステップＳ１２５以降の処理を繰り返す。
【００４６】
したがって、ステップＳ１１０〜Ｓ１３５が繰り返される間、表示部２０にはライブビューが表示される。図５はライブビュー表示の際の、撮像センサー１４による電荷蓄積タイミング（ＳＤ１〜ＳＤ４）と、画像データ生成部８１等による処理タイミング（Ｐ１〜Ｐ４）と、表示部２０による表示タイミング（ＤＤ１〜ＤＤ４）とを示すタイミングチャートである。図５において、ＳＤ１〜ＳＤ４の識別子が付された平行四辺形は、それぞれ１フレーム目から４フレーム目までの各ラインの電荷蓄積タイミングを示している。各平行四辺形の上辺ａは撮像センサー１４の有効ライン（被写体像表示領域Ｒ１に表示する画像データを生成するための出力データを出力するライン）のうちの最上ラインの電荷蓄積時間（＝第一の時間Ｔ１）を示しており、下辺ｂは撮像センサー１４の有効ラインのうちの最下ラインの電荷蓄積時間を示している。高さｅは撮像センサー１４の有効ラインのライン数を示している。上辺ａおよび下辺ｂと平行で、左辺ｃおよび右辺ｄを両端とする図示しない線分は撮像センサー１４の各有効ラインにおける電荷蓄積時間を示している。左辺ｃは撮像センサー１４の各有効ラインにおける電荷蓄積開始タイミングを示しており、右辺ｄは各有効ラインにおける電荷蓄積終了タイミングを示している。すなわち、左辺ｃと各ラインの線分との交点が示すタイミングで当該ラインに対するリセット信号SHResetが撮像センサー１４に対して出力されることによって対応するラインの電荷蓄積が開始する。また右辺ｄと各ラインの線分との交点が示すタイミングで対応するラインの光電変換素子から図示しない水平同期信号SHsyncが規定する水平同期期間中に出力データSDが読み出されることを意味する。
【００４７】
Ｐ１〜Ｐ４の識別子が付された平行四辺形の上辺ｆおよび下辺ｇと平行で左辺ｈおよび右辺ｉを両端とする線分は、ＳＤ１〜ＳＤ４の右辺ｄに示すタイミングで電荷蓄積が終了した各ラインの出力データSDに基づいて画像データDDを生成し表示部２０に表示を開始するまでに要する処理時間（図３Ｂの第二の時間Ｔ２に相当）を示している。高さｊは処理ライン数を示している。本実施形態では説明を簡便にするため、高さｅが示すライン数と高さｊが示す処理ライン数と後述する高さｏが示すライン数は等しいものとして説明している。
【００４８】
ＤＤ１〜ＤＤ４の識別子が付された平行四辺形はそれぞれ１フレーム目から４フレーム目までの被写体像表示領域Ｒ１の表示タイミングを示している。ＯＳＤ１〜ＯＳＤ３はそれぞれ１フレーム目から３フレーム目までの情報表示領域Ｒ２の表示タイミングを示している。上辺ｋ〜下辺ｌまでの距離としての高さｏは被写体像表示領域Ｒ１のライン数を表している。高さｐは情報表示領域Ｒ２のライン数を表している。上辺ｋは被写体像表示領域Ｒ１の最上ラインの表示を継続する時間（現フレームにおける表示開始から次フレームにおいて新しい画像データで書き換わるまでの時間）を示している。すなわち左辺ｍは表示開始タイミングを示しており右辺ｎは表示終了タイミングを示しており、現フレームにおける表示終了タイミングｎと次フレームにおける表示開始タイミングｍとは一致する。左辺ｍは、Ｐ１〜Ｐ４の右辺ｉのタイミングと一致する。下辺ｌは被写体像表示領域Ｒ１の最下ラインの表示を継続する時間を示している。上辺ｋおよび下辺ｌと平行で左辺ｍおよび右辺ｎとの交点を両端とする図示しない線分の長さは、被写体像表示領域Ｒ１の各ラインの表示継続時間を示している。
【００４９】
ＯＳＤ１〜ＯＳＤ３において表示開始タイミングを示す左辺ｒおよび表示終了タイミングを示す右辺ｓの傾きは、ＤＤ１〜ＤＤ４における左辺ｍおよび右辺ｎの傾きより急である。これは、情報表示領域Ｒ２を表示するための水平同期信号DHsyncの生成間隔が、被写体像表示領域Ｒ１を表示するための水平同期信号DHsyncの生成間隔よりも短く、情報表示領域Ｒ２が被写体像表示領域Ｒ１より高速に表示されることを意味する。このようにして、１垂直同期期間Ｔｄ内に被写体像表示領域Ｒ１と情報表示領域Ｒ２の画像を更新することができる。
【００５０】
このように、本実施形態ではライブビュー表示のための撮影において、電荷蓄積時間（第一の時間Ｔ１）＋処理時間（第二の時間Ｔ２）で表される表示遅延時間ΔＴが、垂直同期期間Ｔｓ（＝Ｔｄ）以下となるように電荷蓄積時間が制御されることにより、表示遅延時間を意図的に短期化することができる。蓄積された電荷を読み出すタイミング（ＳＤｎの右辺ｄ）は垂直同期信号SVsyncによって規定される垂直同期期間Tsを基準に決められているため、電荷蓄積時間の長さ（ＳＤｎの上辺ａ）は、電荷蓄積を開始させるタイミング（ＳＤｎの左辺ｃ）の位置を時間軸方向に変化させることで調整される。なお、表示遅延時間ΔＴは、特願2012-226674、特願2012-226675、特願2012-226676に開示されている方法で測定することが可能である。また、（ΔＴ＋Ｔ３）＝（Ｔ１＋Ｔ２＋Ｔ３）で示される時間も上記方法で測定可能である。本発明の発明者らの調査によると、ライブビュー表示において観察者が主観的に遅れを認識しにくくなる実用的な範囲は、少なくとも（Ｔ１＋Ｔ２＋Ｔ３）≦３３．３ｍｓであることが必要であり、（Ｔ１＋Ｔ２＋Ｔ３）≦２０〜２５ｍｓであることが望ましいことが分かった。本実施形態の例の場合、（Ｔ１＋Ｔ２＋Ｔ３）＝約４ｍｓ＋３ｍｓ＋１０ｍｓ＝約１７ｍｓとなり、良好な結果を得ることができる。また、発明者らは第一の時間Ｔ１の値は８ｍｓ以下で可能な限り短い方が良好である事を確認した。これは、垂直同期周期が６０ｆｐｓの場合には第一の時間Ｔ１を１６ｍｓ程度の設定した場合、遅れと共にブレが見られた。前述の１６ｍｓは１／６０のシャッター速度に該当し、動きのある被写体では撮影ブレが発生しやすい速度に該当する。８ｍｓは１／１２５のシャッター速度に該当し、撮影ブレが発生しにくい速度に該当する。８ｍｓよりさらに短い４ｍｓ（１／２５０のシャッター速度に該当）は、より被写体ブレが少ない撮影が可能なシャッター速度であると言える。この様に８ｍｓ以下の時間に設定すると被写体ブレが発生せず、しかも表示遅れが短い撮影が可能である。
なお、本実施形態のように進捗情報によって画像データの表示準備が整ったことが特定されたラインを表示部２０に順次表示させる方法を採用した撮影装置１は、ΔＴ（＝Ｔ１＋Ｔ２）は６ｍｓ（±４ｍｓ）を実現できることが発明者らによって確認された。また、（ΔＴ＋Ｔ３）＝（Ｔ１＋Ｔ２＋Ｔ３）は１６ｍｓ（±４ｍｓ）を実現できることが発明者らによって確認された。
図２のフローチャートの説明に戻る。
【００５１】
ステップＳ１４５において、シャッターボタンが全押しされたと判定された場合、ＣＰＵ７０は、本撮影用ＡＥ処理を行って本撮影用（記録用画像撮影用。本撮影用の画素数はライブビューより高解像度（例：1800万画素等）の画像を撮影する。）の電荷蓄積時間を決定し（ステップＳ１５０）、決定した電荷蓄積時間にて記録用の画像を撮影してリムーバブルメモリーに記録する（ステップＳ１５５）。すなわち、ＣＰＵ７０は、ピントの位置と、ステップＳ１０５にて設定された絞り１２の開口径とが維持された状態で、センサー制御部６１に制御信号を出力して撮像センサー１４における電荷蓄積をライン順次に開始させ、シャッター制御部５０に制御信号を出力し、撮像センサー１４の各ラインの電荷蓄積時間がステップＳ１５０にて決定された時間となるようなタイミングでシャッター１３を駆動させる。この結果、撮像センサー１４から出力された出力データに基づいて画像処理部８０がバッファー１５を利用しながら画像データを生成する。ＣＰＵ７０は、生成された画像データを記録部３０に転送し、図示しないリムーバブルメモリーに記録させる。そして、撮影が終了すると次の撮影に向けてＳ１００に戻る。
【００５２】
ステップＳ１５０の本撮影用ＡＥ処理では、図４とは異なるプログラム線図が用いられる。本実施形態では、絞りが例えば４．０で固定として本撮影用ＡＥ処理も行われる（いわゆる絞り優先自動露出処理である）。ＩＳＯ感度は予めユーザーが設定した値（または撮影モードの種類に応じたデフォルト値）が選択されるため、本撮影用ＡＥ処理では、撮影環境に応じて電荷蓄積時間は１／８０００ｓ〜１ｓまでの間が選択されうる。ここで、繰り返しステップＳ１３０のライブビュー用ＡＥ処理が行われたうちの最後（シャッターボタンが全押しされる直前）のステップＳ１３０で適正露出と判定されたＥＶ値になるように、ステップＳ１５０では電荷蓄積時間が選択される。例えばユーザーが設定した（あるいは撮影モードの種類に応じたデフォルトの）ＩＳＯ感度の値が１００であり、適正露出がＥＶ８であることが判明している場合、本実施形態においては絞りが４．０で固定となるようにＡＥ処理されるため本撮影用の電荷蓄積時間としては１／１５ｓが選択される（図４の白丸参照）。
【００５３】
すなわち、同一撮影環境において記録用画像を撮影する場合には、電荷蓄積時間として１／１５ｓが選択され、ライブビュー表示のための撮影の場合には、１／１５ｓより高速な（短い）時間である１／２５０ｓが電荷蓄積時間として選択される。このように、同一撮影環境において記録用画像を撮影する場合には選択されないような短い電荷蓄積時間でライブビュー表示のための撮影を行うことで、撮影装置１はライブビュー表示における表示遅延時間の短期化を図っている。
【００５４】
２．他の実施形態
尚、本発明の技術的範囲は、上述した実施例に限定されるものではなく、本発明の要旨を逸脱しない範囲内において種々変更を加え得ることは勿論である。例えば、画像データに基づいて表示部に表示される画像の画質よりも表示遅延時間の短縮の方を優先させる第一のモードと、表示遅延時間の短縮よりも画像の画質の方を優先させる第二のモードと、をユーザーに選択させるライブビューモード選択スイッチを備えてもよい。そして、第一のモードが選択された場合に、第一実施形態で説明したように第一の時間が（垂直同期期間−第二の時間）以下となるように撮像対象ラインの電荷蓄積を開始させるようにしてもよい。第二のモードが選択された場合は、ユーザーが選択した（あるいはデフォルトの）ＩＳＯ感度を優先させて、絞りあるいは電荷蓄積時間を適宜変更させてＡＥ処理を行ってもよい。
【００５５】
また、上記実施形態では、シャッターボタンを半押しする前の場合も半押し状態の場合も、第一の時間≦（垂直同期期間−第二の時間）となるように電荷蓄積時間が選択されていたが、半押し前の場合には画質優先として上述の第二のモードと同様の処理を行い、半押し状態の場合は表示遅延短縮優先として上述の第一のモードと同様の処理を行うようにしてもよい。すなわち、シャッターボタンが半押しの状態は、ユーザーがシャッターチャンスを窺っている状態であると考えられるため、シャッターボタンが半押しの状態の場合に被写体の動きからの遅れがより少ない状態でライブビューを提供する。この結果，ユーザーはシャッターボタンを半押した状態で被写体の微妙な動きを確認することができ、シャッターチャンスを逃さずに適切なタイミングで被写体を撮影することができる。
【００５６】
また、図４のプログラム線図では１ＥＶ刻みで露出を制御することが可能であったが、電荷蓄積時間を１／３ＥＶ刻みで変化させることにより露出を１／３ＥＶ刻みで制御することができてもよい。図６Ａは電荷蓄積時間（Ｔｖ）を１／３ＥＶ刻みで変化させることが可能な場合のプログラム線図の例を示している。また、さらにＩＳＯ感度（Ｓｖ）を１／３ＥＶ刻みで変化させることができてもよい。図６Ｂは、電荷蓄積時間（Ｔｖ）とＩＳＯ感度（Ｓｖ）の両方が１／３ＥＶ刻みで制御可能な場合のプログラム線図の例を示している。１／３ＥＶ刻みで制御することにより、ライブビュー表示の露出切り換えをなめらかに行うことができる。なお、例えば１／２５０〜１／５００までの電荷蓄積時間を１／３ＥＶ刻みで制御する場合、１／２５６、１／３２２．５、１／４０６．４、１／５１２という刻みで制御される。また、例えばＩＳＯ感度１００から２００までの範囲を１／３ＥＶ刻みで変化させる場合は、１００、１２６、１５９、２００という刻みで制御される。またＩＳＯ感度（Ｓｖ）は、１／３ＥＶよりさらに細かい刻みで制御可能であってもよい。図７は、ＥＶ１７〜ＥＶ１２において電荷蓄積時間（Ｔｖ）を１／３ＥＶ刻みで制御可能であり、ＥＶ１２〜ＥＶ６においてＩＳＯ感度（Ｓｖ）を１／３ＥＶより細かい刻みで制御可能である場合のプログラム線図の例を示している。
【００５７】
また、図４や図６，図７に示すプログラム線図では、絞り１２を固定としてＥＶ１７〜ＥＶ６の範囲でＡＥ処理を可能としたが、例えば（Ｓｖ，Ｔｖ）を（６４００，１／２５０）に固定した状態でさらに絞り値をＦ４．０からＦ２．８からＦ２．０へと変化させることで、ＥＶ５およびＥＶ４がＡＥ処理の制御範囲にさらに含まれるようにしてもよい。
【００５８】
なお、第一実施形態では撮像対象ラインと表示対象ラインとは１：１に対応するものとして説明を行ったが、例えば撮像センサー１４のｚライン（ｚは２以上の自然数）分の出力データに基づいて表示部２０の１ライン分の画像データが生成される場合は、撮像センサー１４の当該ｚラインに含まれる各ラインの電荷蓄積時間の平均を「第一の時間」としてもよい（各ラインの電荷蓄積時間は同じであるので、各ラインの電荷蓄積時間の平均は各ラインの電荷蓄積時間と等しい）。そしてこの場合、撮像センサー１４の当該ｚラインのうちの１ライン目の電荷蓄積が終了してから、ｚライン目の電荷蓄積を終えてｚライン分の出力データから１ライン分の画像データを生成し、撮像センサー１４の当該ｚラインに対応する表示部２０の１ライン分の画像データの表示を開始するまでの時間を「第二の時間」としてもよい。図８Ａは、この場合の第一の時間Ｔ１と第二の時間Ｔ２と表示遅延時間ΔＴを示している（図８Ａではｚ＝２としている）。
また例えば、撮像センサー１４の当該ｚラインのうちの１ライン目の電荷蓄積を開始させてから当該ｚラインのうちのｚライン目の電荷蓄積を終了するまでの時間を「第一の時間」としてもよい。そしてこの場合、撮像センサー１４の当該ｚラインのうちｚライン目の電荷蓄積を終了してから、撮像センサー１４の当該ｚラインに対応する表示部２０の１ラインの画像データの表示を開始するまでの時間を「第二の時間」としてもよい。図８Ｂは、この場合の第一の時間Ｔ１'と第二の時間Ｔ２'と表示遅延時間ΔＴを示している（図８Ｂではｚ＝２としている）。
【符号の説明】
【００５９】
１…撮影装置、１０…レンズユニット、１１…レンズ、１１ａ…レンズ駆動部、１２ａ…絞り駆動部、１３…シャッター、１４…撮像センサー、１５…バッファー、２０…表示部、３０…記録部、４０…操作部、５０…シャッター制御部、６０…タイミング制御部、６１…センサー制御部、６２…表示制御部、８０…画像処理部、８１…画像データ生成部、Ｒ１…被写体像表示領域、Ｒ２…情報表示領域、Ｔ１…第一の時間、Ｔ２…第二の時間、Ｔ３…第三の時間、Ｔｄ…垂直同期期間（表示部）、Ｔｓ…垂直同期期間（撮像センサー）、ΔＴ…表示遅延時間
【図１】
2014093705.tif 000003
【図２】
2014093705.tif 000004
【図３】
2014093705.tif 000005
【図４】
2014093705.tif 000006
【図５】
2014093705.tif 000007
【図６】
2014093705.tif 000008
【図７】
2014093705.tif 000009
【図８】
2014093705.tif 000010